(57)【要約】【目的】本発明は家庭用で最も容量的に嵩張る一般可燃ゴミの減容を何処の家庭でも所有している掃除機を使って行なうゴミ減容用掃除機接続器とその使用方法に関するものであり、特に近々環境保全やコスト削減などによりゴミ収集の有料化を推進する自治体も増加しており、経済的にも家庭におけるゴミ減容の必要性が急務となってきた。【構成】掃除機７のホース継手部４に差し込み接続する円錐状パイプの先端を切除して開口したような形状の差し込み部１に柱状パイプ２を有した基本構成のゴミ減容用掃除機接続器と家庭用電気吸引式の掃除機７とゴミ入れ用の減容袋５からなる基本仕様である。【選択図】図１
2006314753.tif 000002
【特許請求の範囲】
【請求項１】
掃除機７のホース継手部４に差し込み接続する円錐状パイプの先端を切除して開口したような形状の差し込み部１に柱状パイプ２を有した基本構成のゴミ減容用掃除機接続器と電気吸引式の掃除機７とゴミ入れ用の減容袋５からなる基本仕様のゴミ減容用掃除機接続器とその使用方法。
【請求項２】
掃除機７のホース継手部４に差し込み接続する円錐状パイプの先端を切除して開口したような形状の差し込み部１と先端に多孔構造の吸着防止保護カバー３を付けた吸引口を有した柱状パイプ２の外周に軟質空密素材などの密閉握り部８を有したゴミ減容用掃除機接続器とその使用方法。
【請求項３】
掃除機７の吸引力に対応でき可燃ゴミの突起物で破損しない強度のゴミ入れ用袋の減容袋５とゴミ減容用掃除機接続器を使用する方法のゴミ減容用掃除機接続器とその使用方法。
【請求項４】
掃除機７のホース継手部４に差し込み部１を接続し、柱状パイプ２を減容袋５内に差し込み、減容袋５を結束バンド６や手などで締めて減容袋５を密閉して掃除機７で吸引稼動することによりゴミが入った減容袋５全体を減容する方法の請求項１記載のゴミ減容用掃除機接続器とその使用方法。
【請求項５】
掃除機７のホース継手部４を直接減容袋５内に差し込み、結束バンド６や手などで減容袋５を密閉して掃除機７で吸引稼動することによりゴミが入った減容袋５全体を減容する方法のゴミ減容用掃除機接続器とその使用方法。
【発明の詳細な説明】
【技術分野】
【０００１】  本発明は家庭用で最も容量的に嵩張る一般可燃ゴミの減容を何処の家庭でも所有している掃除機を使って行なうゴミ減容用掃除機接続器とその使用方法に関するものであり、特に近々環境保全やコスト削減などによりゴミ収集の有料化を推進する自治体も増加しており、経済的にも家庭におけるゴミ減容の必要性が急務となってきた。
【背景技術】
【０００２】  生ゴミの減容については加熱や加圧や各種バイオ菌方式などの技術により家庭用の減容機などが開発されているが、最も嵩張る一般可燃ゴミの減容は産業用や業務用などを対象とした加圧、加熱、各種バイオ菌方式などの技術による大型装置が一般的であって、家庭向けの小型軽量の減容機は開発されていなかったし、特許出願技術として最も類似すると思われる特許出願２００２−９４２８４「ゴミ減容器」に於ても機械的圧縮によってゴミ袋を押さえる技術であった。
【発明が解決しようとする課題】
【０００３】  従来、家庭用の小型で軽量で安価な可燃ゴミの減容器は開発されておらず、人力による減容は重労働であり減容率も非常に悪かったため、ゴミの減容をせずに搬出することが多かった。
【０００４】  従来の家庭における一般可燃ゴミは紙屑や空箱や各種容器など容量的に嵩張る物が多くゴミ袋も膨れ大半が空気を入れているようなものであって、広面積の収集場所が必要であったし、運搬などの用役費に多大なコストロスを生じていた。
【０００５】  従来、自治体が行なうゴミ収集に於ては家庭の出費が無く無料だった場合には家庭の会計を圧迫することなく現実的な問題として感じていなかったが、ゴミ収集の有料化が進むなかゴミ袋の容量が料金基準となるためゴミの減容が切実な問題となった。
【課題を解決する手段】
【０００６】  本問題を解決する手段を説明すれば、
請求項１については掃除機７のホース継手部４に差し込み接続する円錐状パイプの先端を切除して開口したような形状の差し込み部１に先端に吸引口が有る柱状パイプ２を有した基本構成のゴミ減容用掃除機接続器と家庭用電気吸引式の掃除機７とゴミ入れ用の減容袋５からなる基本仕様である。
【０００７】  請求項２については掃除機７のホース継手部４に差し込み接続する円錐状パイプの先端を切除して開口したような形状で各メーカーの掃除機に対応する構造の差し込み部１と突起の少ない表面カバーが多孔凹凸構造で吸引によりゴミや袋が吸引口への吸着を防止するための吸着防止保護カバー３を付けた吸引口を有した柱状パイプ２の外周に手で減容袋５と柱状パイプ２を効率良く密閉するための軟質空密素材バンドなどの密閉握り部８からなる構成である。
【０００８】  請求項３については掃除機７の吸引力に対応でき可燃ゴミの突起物で破けない程度の強度としたゴミ入れ用袋の減容袋５とゴミ減容用掃除機接続器を組み合せた使用方法である。
【０００９】  請求項４については掃除機７のホース継手部４に差し込み部１を接続し、柱状パイプ２を減容袋５内に差し込み、密閉握り部８の位置の減容袋５を手などで締めて減容袋５を密閉して掃除機７で吸引稼動することによりゴミが入った減容袋５全体を減容する方法。
【００１０】  請求項５については掃除機７のホース継手部４を直接減容袋５内に差し込み、結束バンド６や手などで減容袋５を密閉して掃除機７で吸引稼動することによりゴミが入った減容袋５全体を減容する方法。
【作用】
【００１１】  次に本発明の作用を述べると、
請求項１についてゴミ減容用掃除機接続器と掃除機７と減容袋５を組み合せて使用する基本作用であり、ゴミ減容用掃除機接続器については円錐状パイプの先端を切除して開口したような形状の差し込み部１により各種メーカーの掃除機との接続を可能とし、吸引柱状パイプ２を長尺にすることにより減容袋５の柱状パイプ２へのセットと絞りを容易とすると共に減容袋５全域の吸引を可能とし減容範囲を拡げる作用である。
【００１２】  請求項２については柱状パイプ２の先端に表面カバーに突起が少ない多孔凹凸構造の吸着防止保護カバー３を有することにより吸引作用により減容袋５を破ることなくゴミや減容袋５内面の吸引口への吸着を防止してスムーズな吸引作用を可能にしますし、柱状パイプ２の密閉握り部８の軟質空密性により手の握り面凹凸と適合し密閉効率を向上するし快適な感触をも得る作用である。
【００１３】  請求項３については専用のゴミ入れ用袋の減容袋５とゴミ減容用掃除機接続器を組み合せる作用である。
【００１４】  請求項４については減容袋５を伸縮性のある結束バンド６で結んだ後、柱状パイプ２を差し込んで吸引する作用や、柱状パイプ２を減容袋５に差し込んで結束バンド６で結んだり手などで締めて減容袋５を密閉してから吸引減容する作用である。
【００１５】  請求項５についてはゴミ減容用掃除機接続器を使わず直接ホース継手部４を減容袋５内に差し込み減容する作用であり、あまり減容効率は良くないがゴミ減容用掃除機接続器は不用である。
【発明を実施するための最良の形態】
【００１６】  具体実施例を述べれば、
（イ）柱状パイプ２先端の吸着防止保護カバー３を網目球状とする。
（ロ）柱状パイプ２先端の吸着防止保護カバー３を煙突の傘型とする。
（ハ）柱状パイプ２先端の吸着防止保護カバー３を櫛型とする。
（ニ）柱状パイプ２先端の吸着防止保護カバー３を側周多孔のパイプ型とする。
（ホ）柱状パイプ２先端の吸着防止保護カバー３を表面凹凸の多孔構造とする。
（ヘ）柱状パイプ２を曲げてＬ型とする。
（ト）柱状パイプ２をラッパ状としてその先端に吸着防止保護カバー３を有する。
（チ）結束バンド６は伸縮性のあるゴムバンドやゴム紐やプラスチックバンドや一般の紐や帯など用途や方法により選択する。
（リ）行政で指定したゴミ袋がある場合には、減容した減容袋５を指定のゴミ袋に入れて搬出する。
（ヌ）減容袋５は強度等の品質を確認し専用のゴミ減容袋として明記して使用する方法である。
（ル）減容袋５と結束バンド６をセット化して販売提供する。
（ヲ）ゴミ減容用掃除機接続器全体や一部を抗菌加工や光触媒の塗布を行なう。
（ワ）柱状パイプ２外周全体及び一部を軟質空密材でカバーコーティングする。
【効果】
【００１７】  本発明により、家庭で最も多く発生して容量的に大変嵩張る一般可燃ゴミの減容が何処の家庭にでもある掃除機と簡単な器具を使って誰にでも簡単にできるため下述する具体効果があります。
（イ）加圧による減容ではなく掃除機での吸引減容であるため非常に効率的でありゴミの種類にもよるが実験値では３０パーセントから７０パーセントの減容が可能であった。
（ロ）ゴミ減容用掃除機接続器と減容袋５と掃除機７があれば減容が簡単にできるため費用もかからず経済的にも有効である。
（ハ）ゴミの減容が簡単にできるためゴミの処理が容易でお部屋の整理整頓にも有効である。
（ニ）可燃ゴミの減容により運搬などの用役費が大巾に削減します。
（ホ）各家庭での簡単なゴミの減容は環境やコスト意識の向上にも有効です。
（ヘ）特にゴミ収集が有料の自治体に於てはゴミの減容により家庭のゴミ料金が大巾に節約できます。
【００１８】  本発明により各家庭による可燃ゴミの減容が推進され地域環境の向上ばかりか強いては地球環境の向上にも大きく貢献するものであります。
【図面の簡単な説明】
【図１】本発明請求項１のゴミ減容用掃除機接続器と掃除機と減容袋のセット例を示す斜視図
【図２】本発明請求項２のゴミ減容用掃除機接続器の具体一例を示す斜視図
【図３】本発明請求項２のゴミ減容用掃除機接続器を掃除機にセットした一例を示す斜視図
【図４】本発明請求項３の使用方法の使用例を示す斜視図
【符号の説明】
１は差し込み部              ２は柱状パイプ
３は吸着防止保護カバー      ４はホース継手部
５は減容袋                  ６は結束バンド
７は掃除機                  ８は密閉握り部
【図１】
2006314753.tif 000003
【図２】
2006314753.tif 000004
【図３】
2006314753.tif 000005
【図４】
2006314753.tif 000006